(57)【要約】【課題】キャリングケースを備えるプロジェクタであって、使用開始の準備作業等が簡単で準備作業時に本体に損傷を与える可能性が少なく、投射時にキャリングケースが邪魔になりにくいプロジェクタ及びキャリングケースを提供すること。【解決手段】プロジェクタ１０を使用する際には、投射口開閉部材４３ｃを閉止状態から開放状態にして保持部材４３ｅに固定することで、光透過口４３ａが開放され投射レンズ１１が露出する。次に、開口４１ａに指を挿入して、調節部材６２のレバー６３を操作することにより、前脚部材６１の突出量を調整し、プロジェクタ本体２０の傾斜角を調整する。この状態で、リモコン受光部１２の正面にリモコン光透過部４３ｈが配置され、前面排気口１３や裏面吸気口１８に対向するように通風部４３ｇ，４１ｄが配置される。【選択図】図１
2008076806.tif 000002
【特許請求の範囲】
【請求項１】
プロジェクタ本体と、
前記プロジェクタ本体を収納するキャリングケースと、
を備えるプロジェクタであって、
前記キャリングケースは、前記プロジェクタ本体を前記キャリングケースに収納した時
に、前記プロジェクタ本体に設けた投射光射出部のうち少なくとも射出方向側の一部を、
前記キャリングケースの外部に対して露出可能に構成されているプロジェクタ。
【請求項２】
前記キャリングケースは、前記投射光射出部を少なくとも部分的に露出状態とする開放
状態と、前記投射光射出部を非露出状態とする閉止状態との間で切り替え可能な投射口開
閉部を備える請求項１記載のプロジェクタ。
【請求項３】
前記キャリングケースは、前記投射口開閉部を前記開放状態及び前記閉止状態のいずれ
かに保持する保持手段を備える請求項２記載のプロジェクタ。
【請求項４】
前記キャリングケースは、前記プロジェクタ本体を前記キャリングケースに収納した時
に、前記プロジェクタ本体に設けた通風口と前記キャリングケースの外部との間の通風を
可能にする通風部をさらに備える請求項１から請求項３のいずれか一項記載のプロジェク
タ。
【請求項５】
前記通風部は、通気用の多数の孔を有するとともに、前記プロジェクタ本体を前記キャ
リングケースに収納した時に前記プロジェクタ本体の前記通風口に対向するメッシュ部材
を含む請求項４記載のプロジェクタ。
【請求項６】
前記キャリングケースは、前記プロジェクタ本体を前記キャリングケースに収納した時
に、前記プロジェクタ本体に設けたリモコン受光部が前記キャリングケースの外部からの
リモコン光を受光可能とするリモコン光透過部をさらに備える請求項１から請求項６のい
ずれか一項記載のプロジェクタ。
【請求項７】
前記キャリングケースは、前記プロジェクタ本体を前記キャリングケースに収納した時
に、前記プロジェクタ本体に設けた高さ調整部のうち少なくとも高さ調整方向側の一部を
、当該キャリングケースの外部に対して露出させる調整許容部をさらに備える請求項１か
ら請求項６のいずれか一項記載のプロジェクタ。
【請求項８】
前記調整許容部は、前記高さ調整部に含まれ前記プロジェクタ本体に対して変位する支
持部材を露出させる調整用開口を含む請求項７記載のプロジェクタ。
【請求項９】
前記キャリングケースは、前記プロジェクタ本体を前記キャリングケースに収納した時
に、前記プロジェクタ本体を前記キャリングケースに位置決め固定するホルダ部をさらに
備える請求項１から請求項８のいずれか一項記載のプロジェクタ。
【請求項１０】
プロジェクタ本体を収納するためのキャリングケースであって、
前記プロジェクタ本体を前記キャリングケースに収納した時に、前記プロジェクタ本体
に設けた投射光射出部のうち少なくとも射出方向側の一部を、前記キャリングケースの外
部に対して露出可能に構成されているキャリングケース。
【請求項１１】
前記投射光射出部を少なくとも部分的に露出状態とする開放状態と、前記投射光射出部
を非露出状態とする閉止状態とに設定可能な投射口開閉部を備える請求項１０記載のキャ
リングケース。
【請求項１２】
前記プロジェクタ本体を収納した時に、前記プロジェクタ本体に設けた通風口と外部と
の間の通風を可能にする通風部をさらに備える請求項１０又は請求項１１記載のキャリン
グケース。
【請求項１３】
前記プロジェクタ本体を収納した時に、前記プロジェクタ本体に設けたリモコン受光部
が外部からのリモコン光を受光可能とするリモコン光透過部をさらに備える請求項１０か
ら請求項１２のいずれか一項記載のキャリングケース。
【請求項１４】
前記プロジェクタ本体を収納した時に、前記プロジェクタ本体に設けた高さ調整部のう
ち少なくとも高さ調整方向側の一部を、外部に対して露出させる調整許容部をさらに備え
る請求項１０から請求項１３のいずれか一項記載のキャリングケース。
【請求項１５】
前記プロジェクタ本体を収納した時に、前記プロジェクタ本体を位置決め固定するホル
ダ部をさらに備える請求項１０から請求項１４のいずれか一項記載のプロジェクタ。
【発明の詳細な説明】
【技術分野】
【０００１】
本発明は、キャリングケースを備えたプロジェクタ及びそのキャリングケースに関し、
特に使用に際してプロジェクタの設置や投射の準備を簡単にできるプロジェクタ等に関す
る。
【背景技術】
【０００２】
可搬タイプのプロジェクタには、収納及び搬送用のキャリングケースが用意されており
、このようなキャリングケースにプロジェクタを収納して持ち運ぶことが多い（例えば特
許文献１，２参照）。
【０００３】
従来のこのようなキャリングケースに収納されたプロジェクタを使用しようとする場合
、まず、キャリングケースからプロジェクタを取り出し、その後プロジェクタを適当な場
所に設置し、電源ケーブルを接続する等、必要な準備を行っていた。
【０００４】
なお、別のプロジェクタでは、本体に対してスライド移動可能なケースを設け、このケ
ースから本体を適宜引き出すことで、ケース後部に送風ファンに連通する通風口を形成す
るものがある（特許文献３参照）。
【特許文献１】特開２００６−５５５５２号公報
【特許文献２】実用新案登録３１２１０４６号公報
【特許文献３】特開２００５−９２０９８号公報
【発明の開示】
【発明が解決しようとする課題】
【０００５】
しかしながら、キャリングケースで搬送されるプロジェクタについては、プロジェクタ
を使用する際に、いちいちキャリングケースからプロジェクタを取り出す必要があり、準
備の作業が煩雑なものとなっている。また、プロジェクタを取り出す際に、手をすべらせ
てプロジェクタを床等に落下させることがあり、その結果、プロジェクタに重大な不具合
を生じさせてしまうおそれがある。さらに、プロジェクタを取り出した後のキャリングケ
ースは、その後の画像投射時において不要になる。特に、プロジェクタを狭いスペースで
使用しなければならない場合、キャリングケースの置き場所すらない場合が多く、その扱
いに困ることになる。
【０００６】
なお、スライド移動可能なケースを設けたタイプのプロジェクタの場合、ケースの前後
奥行きが実質的に伸縮するだけであり、プロジェクタを保護しつつ搬送する際には、プロ
ジェクタ全体を適当なキャリングケースに収納する必要がある。この場合も、プロジェク
タをキャリングケースから取り出す準備作業の煩雑さ、キャリングケースの置き場所等が
問題となる。
【０００７】
そこで、本発明は、キャリングケースによって搬送されるプロジェクタであって、使用
開始の準備作業等が簡単で準備作業時に本体に損傷を与える可能性が少なく、投射時にキ
ャリングケースが邪魔になりにくいプロジェクタ及びキャリングケースを提供することを
目的とする。
【課題を解決するための手段】
【０００８】
上記課題を解決するため、本発明に係るプロジェクタは、プロジェクタ本体と、プロジ
ェクタ本体を収納するキャリングケースとを備える。ここで、キャリングケースは、プロ
ジェクタ本体を当該キャリングケース中に収納した時に、プロジェクタ本体に設けた投射
光射出部のうち少なくとも射出方向側の一部を、当該キャリングケースの外部に対して露
出可能に構成されている。なお、この欄及び以下において、「プロジェクタ本体」の語は
、旧来型のプロジェクタとして機能する部分を意味し、一般には、光源、光変調部、投射
レンズ、制御回路等の各種構成要素を本体ケースに収納したものである。そして、「プロ
ジェクタ本体」において、「投射光射出部」は、投射像を射出してスクリーンに投射する
部分であり、通常投射レンズの光射出側部分である。さらに、「プロジェクタ」の語は、
旧来型のプロジェクタと、これを収納する特殊な「キャリングケース」とを備えたものを
意味する。
【０００９】
上記プロジェクタでは、キャリングケースが、プロジェクタ本体をキャリングケースに
収納した時に、プロジェクタ本体に設けた投射光射出部のうち少なくとも射出方向側の一
部が外部に露出可能になっているので、キャリングケースに収納された状態のプロジェク
タ本体の投射光射出部から投射光をそのまま射出させることができる。つまり、プロジェ
クタ本体をキャリングケースから取り出すことなくプロジェクタ本体を動作させることが
できるので、プロジェクタの使用開始の準備作業等が簡単で、準備作業に際してプロジェ
クタ本体に損傷を与える可能性がないのでプロジェクタの信頼性を高めることができる。
また、プロジェクタ本体をキャリングケースに収納したままで使用できるので、プロジェ
クタの動作音を低減できる。さらに、投射時においても、プロジェクタ本体をキャリング
ケースに一体的に収納できるので、キャリングケースの置き場所に困ることがない。
【００１０】
本発明の具体的な態様又は観点では、上記プロジェクタにおいて、キャリングケースが
、投射光射出部を少なくとも部分的に露出状態とする開放状態と、投射光射出部を非露出
状態とする閉止状態との間で切り替え可能な投射口開閉部を備える。この場合、キャリン
グケースの投射口開閉部を開放状態とすることで、投射光をキャリングケース外に射出さ
せて投射用のスクリーン上に入射させることができ、キャリングケースの投射口開閉部を
閉止状態とすることで、投射光射出部を外部環境から保護することができる。
【００１１】
本発明の別の態様では、キャリングケースが、投射口開閉部を開放状態及び閉止状態の
いずれかに保持する保持手段を備える。この場合、投射口開閉部の状態を安定していずれ
かの状態に維持することができ、例えば投射中に投射口開閉部が閉止状態となって支障が
生じること等を確実に防止できる。
【００１２】
本発明の別の態様では、キャリングケースが、プロジェクタ本体をキャリングケースに
収納した時に、プロジェクタ本体に設けた通風口と当該キャリングケースの外部との間の
通風を可能にする通風部をさらに備える。この場合、キャリングケースに収納したプロジ
ェクタ本体の動作時において、キャリングケースの通風口が塞がれて冷却効率が低下する
ことを防止できる。
【００１３】
本発明のさらに別の態様では、通風部が、通気用の多数の孔を有するとともに、プロジ
ェクタ本体をキャリングケースに収納した時にプロジェクタ本体の通風口に対向するメッ
シュ部材を含む。この場合、通風部を、開閉不要な簡単な構造とすることができ、かつ、
確実な通気を確保することができる。
【００１４】
本発明のさらに別の態様では、キャリングケースが、プロジェクタ本体を当該キャリン
グケースに収納した時に、プロジェクタ本体に設けたリモコン受光部が当該キャリングケ
ースの外部からのリモコン光を受光可能とするリモコン光透過部をさらに備える。この場
合、キャリングケースに収納したプロジェクタ本体の動作時において、プロジェクタ本体
の動作を遠隔的に制御することができる。
【００１５】
本発明のさらに別の態様では、キャリングケースが、プロジェクタ本体を当該キャリン
グケースに収納した時に、プロジェクタ本体に設けた高さ調整部のうち少なくとも高さ調
整方向側の一部を、当該キャリングケースの外部に対して露出させる調整許容部をさらに
備える。この場合、キャリングケースに収納したプロジェクタ本体の高さ調整部の配置を
調整してプロジェクタ本体の設置姿勢を調整することができ、プロジェクタ本体からの投
射光の角度調整等が可能になる。
【００１６】
本発明のさらに別の態様では、調整許容部が、高さ調整部に含まれ前記プロジェクタ本
体に対して変位する支持部材を露出させる調整用開口を含む。この場合、調整用開口から
高さ調整部の支持部材を必要量だけ露出させる姿勢調整が可能になる。
【００１７】
本発明のさらに別の態様では、キャリングケースが、プロジェクタ本体をキャリングケ
ースに収納した時に、プロジェクタ本体をキャリングケースに位置決め固定するホルダ部
をさらに備える。この場合、極めて簡単な構成でプロジェクタ本体とキャリングケースと
を精度良く位置決め固定することができる。
【００１８】
本発明に係るキャリングケースは、プロジェクタ本体を収納するためのものであって、
プロジェクタ本体をキャリングケースに収納した時に、プロジェクタ本体に設けた投射光
射出部のうち少なくとも射出方向側の一部を、当該キャリングケースの外部に対して露出
可能に構成されている。
【００１９】
上記キャリングケースでは、プロジェクタ本体をキャリングケース中に収納した時に、
プロジェクタ本体に設けた投射光射出部のうち少なくとも射出方向側の一部が外部に露出
可能になっているので、キャリングケースに収納された状態のプロジェクタ本体の投射光
射出部から投射光をそのまま射出させることができる。つまり、プロジェクタの使用開始
の準備作業等が簡単で、準備作業に際してプロジェクタ本体に損傷を与える可能性がない
ので、プロジェクタの信頼性を高めることができる。また、プロジェクタ本体をキャリン
グケースに収納したままで使用できるので、プロジェクタの動作音を低減できる。さらに
、投射時においても、プロジェクタ本体とキャリングケースとを一体化できるので、キャ
リングケースの置き場所に困ることがない。
【００２０】
本発明の具体的な態様では、上記キャリングケースにおいて、投射光射出部を少なくと
も部分的に露出状態とする開放状態と、投射光射出部を非露出状態とする閉止状態との間
で切り替え可能な投射口開閉部を備える。
【００２１】
本発明の別の態様では、プロジェクタ本体を収納した時に、プロジェクタ本体に設けた
通風口と外部との間の通風を可能にする通風部をさらに備える。
【００２２】
本発明のさらに別の態様では、プロジェクタ本体を収納した時に、プロジェクタ本体に
設けたリモコン受光部が外部からのリモコン光を受光可能とするリモコン光透過部をさら
に備える。
【００２３】
本発明のさらに別の態様では、プロジェクタ本体を収納した時に、プロジェクタ本体に
設けた高さ調整部のうち少なくとも高さ調整方向側の一部を、外部に対して露出させる調
整許容部をさらに備える。
【００２４】
本発明のさらに別の態様では、プロジェクタ本体を収納した時に、プロジェクタ本体を
位置決め固定するホルダ部をさらに備える。
【発明を実施するための最良の形態】
【００２５】
〔第１実施形態〕
図１は、本発明の第１実施形態に係るプロジェクタの使用状態における外観を示す斜視
図であり、図２は、図１に示すプロジェクタのうちキャリングケースの内部を示す斜視図
である。また、図３は、プロジェクタ本体を収納したプロジェクタ内部の開放状態を示す
斜視図である。
【００２６】
図１等に示すように、本実施形態のプロジェクタ１０は、画像投射機能を有するプロジ
ェクタ本体２０と、本体収納及び保護用のキャリングケース３０とで構成され、例えば台
ＴＡ上に載置された状態で、像光ＩＬを正面方向のスクリーン（不図示）に向けて射出す
る。ここで、プロジェクタ本体２０は、一般的なプロジェクタと同様の外観及び機能を有
するものとできる。このプロジェクタ本体２０は、キャリングケース３０から取り出すこ
とができ、それ自体単独で使用することも可能であるが、本実施形態では、主にキャリン
グケース３０中に収納した状態でキャリングケース３０とともに一体的に動作させる場合
について説明する。
【００２７】
キャリングケース３０は、扁平な直方体状の外観を有し、箱形容器状のケース本体３１
と、ケース本体３１の上部を覆うケース蓋部３３とで構成される。これらケース本体３１
とケース蓋部３３とは、図２に示すように、ヒンジ部分３２を介して連結されており、ケ
ース本体３１に対するケース蓋部３３の開閉動作を許容するようになっている。
【００２８】
ケース本体３１は、長方形で板状の底面部４１と、底面部４１の長手方向両側に連接さ
れた一対の側壁４２，４２と、底面部４１の短手方向前側に連接された前壁４３と、底面
部４１の短手方向後側に連接された後壁４４と、前壁４３から後壁４４に掛け渡されるよ
うに延びる仕切壁４５とを備える。これらの底面部４１、壁４２〜４４、及び仕切壁４５
は、樹脂発泡体等からなる緩衝材を内蔵した板状の部材であり、ケース本体３１の箱型の
立体的形状を維持することができるとともに、キャリングケース３０に収納されたプロジ
ェクタ１０を外部の衝撃から保護できるようになっている。
【００２９】
なお、キャリングケース３０内は、仕切壁４５によって２つの空間領域ＡＲ１，ＡＲ２
に分割されており、図３に示すように、一方の空間領域ＡＲ１には、通常プロジェクタ本
体２０が収納され、他方の空間領域ＡＲ２には、特にプロジェクタ１０の搬送時において
、プロジェクタ本体２０に連結される電源ケーブル５１、コンピュータケーブル５２等が
収納される。
【００３０】
ケース本体３１のうち、各壁４２，４２，４３の上側の縁には、これに沿ってファスナ
エレメント５３が設けられている。また、ケース蓋部３３の周囲にも、各壁４２，４２，
４３に対応してファスナエレメント５４が設けられている。両ファスナエレメント５３，
５４は、２つのスライダ５５，５５によって２方向から開閉可能になっている。
【００３１】
ケース本体３１のうち底面部４１は、プロジェクタ本体２０用の空間領域ＡＲ１側にお
いて、プロジェクタ本体２０の支持部材としての前脚部材（不図示）を露出させる開口４
１ａと、プロジェクタ本体２０の後脚部材（不図示）を固定するホルダ４１ｂ，４１ｂと
、プロジェクタ本体２０の下面吸気口（不図示）に対向してその通気性を確保する矩形の
通風部４１ｄとを備える。このうち、開口４１ａは、調整許容部又は調整用開口として機
能する部分である。
【００３２】
図４（ａ）は、上記開口４１ａの平面図であり、図４（ｂ）は、開口４１ａの側方断面
図である。開口４１ａは、図からも明らかなように、鍵穴型の開口形状を有しており、プ
ロジェクタ本体２０の前脚部材６１とともにユーザの指を通すことができるようになって
いる。この開口４１ａを利用して、前脚部材６１を支持する調節部材６２のレバー６３等
を操作し、前脚部材６１をプロジェクタ本体２０に対して進退動作させることにより、プ
ロジェクタ本体２０の前後方向に関する傾斜角を微調整することができる。ここで、前脚
部材６１と調節部材６２とは、プロジェクタ本体２０の姿勢を調整するための高さ調整部
となっている。
【００３３】
なお、底面部４１において、開口４１ａの位置には、開口４１ａを開閉するための調節
口開閉部材４１ｇを設けることもできる。このような調節口開閉部材４１ｇは、一端に設
けたヒンジ部ＨＧにおいて底面部４１に縫いつけられ又はビス止めされており、他端に設
けたマジックテープ（登録商標）状の係合部材４１ｊ等によって開放状態と閉止状態とに
保持され得るものとなっている。
【００３４】
図４（ｃ）は、ホルダ４１ｂ，４１ｂの側方断面図である。ホルダ４１ｂ，４１ｂはプ
ロジェクタ本体２０をキャリングケース３０に位置決め固定するホルダ部であり、図から
も明らかなように、ゴムブッシュ状の凹部材で形成されており、プロジェクタ本体２０の
後脚部材６４，６４を嵌合させてこれをケース本体３１側に固定する。つまり、ホルダ４
１ｂ，４１ｂによってプロジェクタ本体の後部が支持される。
【００３５】
ここで、ホルダ４１ｂ,４１ｂの中心間距離、及びプロジェクタ本体２０の後脚部材６
４，６４が嵌合するホルダ４１ｂ,４１ｂの凹部の形状は、それぞれプロジェクタ本体２
０の後脚部材６４，６４の中心間距離、及び後脚部材６４，６４の外形形状に対応した寸
法に設定されており、プロジェクタ本体２０の後脚部材６４，６４をホルダ４１ｂ，４１
ｂに嵌合させることにより、プロジェクタ本体２０とキャリングケース３０との位置決め
を行っている。
また、ホルダ４１ｂ，４１ｂは、ゴムブッシュに換えて樹脂ブッシュや金属ブッシュの
採用も可能であるが、ゴムブッシュを用いれば、後脚部材６４，６４の外形寸法とホルダ
４１ｂ，４１ｂの凹部寸法とを適宜所望の寸法に設定することにより、ゴムブッシュの弾
性を利用して圧入嵌合することができ、プロジェクタ本体２０とキャリングケース３０と
の位置決め及び固定が容易に可能となる。
なお、従来のキャリングケースに要求される機能は、単にプロジェクタ本体の収納用或
いはプロジェクタ搬送時のプロジェクタ本体の保護であったので、プロジェクタ本体をキ
ャリングケースに対して精度良く位置決めする必要性はそれほど高くなかった。しかしな
がら、上述及び後述する本実施形態のキャリングケース３０のように、プロジェクタ本体
２０の各種機能部の配置に対応してキャリングケース３０に種々の構成を設ける場合、プ
ロジェクタ本体２０とキャリングケース３０の精度良い位置決めは重要な技術課題となる
。本実施形態においては、上述したように極めて簡単な構成でプロジェクタ本体２０とキ
ャリングケース３０とを精度良く位置決め固定できるので、その技術的価値は極めて高い
ものである。
【００３６】
図２等に戻って、通風部４１ｄは、メッシュ部材であり、格子状の隙間として多数の通
気用の孔を有する。この通風部４１ｄは、プロジェクタ本体２０に設けた通風口である裏
面吸気口（不図示）と外部との間の通風を可能にする。これにより、キャリングケース３
０に収納したプロジェクタ本体２０の動作時において、プロジェクタ本体２０の上記裏面
吸気口が塞がれて冷却効率が低下することを防止できる。
【００３７】
ケース本体３１のうち図面左側の側壁４２には、ユーザがプロジェクタ１０の搬送に際
して握るための持手５７が取り付けられており、図面右側の側壁４２には、地面に密着す
ることを防止するため４つの小さな突起状の脚部（不図示）が設けられている。なお、図
示のような持手５７に代えて、長さを調節可能な肩掛けベルト等を設けることもできる。
【００３８】
ケース本体３１のうち前壁４３には、プロジェクタ本体２０の投射光射出部である投射
レンズ１１の射出側を露出させる光透過口４３ａと、光透過口４３ａを露出させたり塞い
だりするための投射口開閉部材４３ｃと、投射口開閉部材４３ｃを保持する保持部材４３
ｄ，４３ｅと、プロジェクタ本体２０の前面排気口（不図示）に対向してその通気性を確
保する矩形の通風部４３ｇと、プロジェクタ本体２０のリモコン受光部１２を光学的に露
出させるリモコン光透過部４３ｈとを備える。
【００３９】
光透過口４３ａは、前壁４３をくり抜くようにして形成した円形の開口であり、プロジ
ェクタ本体２０の投射レンズ１１の射出方向の端部の外径と同程度の内径を有し、像光Ｉ
Ｌを遮ることなく透過させる。また、投射口開閉部材４３ｃは、円板状の部材であり、縁
の一部に設けたヒンジ部ＨＧにおいて前壁４３に縫いつけられ又はビス止めされている。
投射口開閉部材４３ｃは、投射レンズ１１の先端部を外部に対して露出状態とする開放状
態（図１参照）と、投射レンズ１１を非露出状態とする閉止状態（図２参照）との間で切
り替え可能になっている。投射口開閉部材４３ｃは、開放状態において保持部材４３ｅに
係止され、閉止状態において保持部材４３ｄに係止される。つまり、保持手段である両保
持部材４３ｅ，４３ｄによって、投射口開閉部材４３ｃが開放状態及び閉止状態のいずれ
かに確実に保持される。なお、投射口開閉部材４３ｃと両保持部材４３ｅ，４３ｄとには
、マジックテープ（登録商標）状の着脱手段が設けられている。つまり、両保持部材４３
ｅ，４３ｄの表面には、ループ状又は鉤状をなす係合部材が形成されており、投射口開閉
部材４３ｃの突起部４３ｊにも、ループ状又は鉤状をなす係合部材が形成されており、両
保持部材４３ｅ，４３ｄに対する突起部４３ｊの簡易で確実な着脱が可能になる。
【００４０】
通風部４３ｇは、メッシュ部材であり、格子状の隙間として多数の通気用の孔を有する
。この通風部４３ｇは、プロジェクタ本体２０に設けた通風口である前面排気口（不図示
）と外部との間の通風を可能にする。これにより、キャリングケース３０に収納したプロ
ジェクタ本体２０の動作時において、プロジェクタ２０の上記前面排気口が塞がれて冷却
効率が低下することを防止できる。
【００４１】
リモコン光透過部４３ｈは、前壁４３をくり抜くようにして形成した開口に赤外線を選
択的に透過させるフィルム、プレート等の部材をはめ込んだものである。リモコン光透過
部４３ｈは、プロジェクタ本体２０をユーザが遠隔的に操作するためのリモコン（不図示
）からのリモコン光すなわち赤外光がプロジェクタ本体２０に設けたリモコン受光部１２
に入射することを許容する。
【００４２】
ケース本体３１のうち後壁４４の適所には、ケーブル用の開口４４ｂが形成されている
。プロジェクタ本体２０から延びる電源ケーブル５１やコンピュータケーブル５２は、使
用に際して、仕切壁４５に設けた開口４５ｂを介して空間領域ＡＲ１から空間領域ＡＲ２
に延び、後壁４４に設けた開口４４ｂを介して空間領域ＡＲ２から外部に延びる。
【００４３】
図５は、以上で説明したキャリングケース３０に収納されるプロジェクタ本体２０の斜
視図であり、図６（ａ）〜図６（ｃ）は、それぞれプロジェクタ本体２０のである。
【００４４】
プロジェクタ本体２０は、光学系や電気回路を本体ケース２０ａに収納したものであり
、その上面２０ｄには、図６（ａ）に示すように、操作パネル１５やレンズ駆動レバー１
６が設けられている。操作パネル１５は、ユーザが自ら操作してプロジェクタ本体２０の
動作状態を切り替えたり調整したりする部分であり、レンズ駆動レバー１６は、ユーザが
手動で投射レンズ１１のズーミングやフォーカシングを行う部分である。
【００４５】
図６（ｂ）に示すように、プロジェクタ本体２０の前面２０ｃには、投射レンズ１１の
先端部と、リモコン受光部１２と、前面排気口１３とが配置されている。プロジェクタ本
体２０をキャリングケース３０に収納した場合、投射レンズ１１の正面に位置するように
光透過口４３ａが配置され、リモコン受光部１２の正面に位置するようにリモコン光透過
部４３ｈが配置され、前面排気口１３に対向するように通風部４３ｇが配置される。
【００４６】
図６（ｃ）に示すように、プロジェクタ本体２０の底面２０ｅには、前脚部材６１及び
後脚部材６４，６４が配置されている。また、プロジェクタ本体２０の底面２０ｅには、
裏面吸気口１８も設けられている。プロジェクタ本体２０をキャリングケース３０に収納
した場合、前脚部材６１の直下に位置するように開口４１ａが配置され、後脚部材６４，
６４に対応する位置にホルダ４１ｂ,４１ｂ（図２参照）が配置され、底面吸気口１８に
対向するように通風部４１ｄが配置される。
【００４７】
なお、プロジェクタ本体２０の背面側には、図示を省略しているが、電源ケーブル５１
、コンピュータケーブル５２等を内部回路に接続するためのコネクタ部分１９が形成され
ている（図６（ｂ）参照）。
【００４８】
図７は、プロジェクタ本体２０の内部構造を概念的に説明するブロック図である。この
プロジェクタ本体２０は、本体ケース２０ａのほか、光学エンジンユニットとも呼ばれる
主光学装置７１と、ランプ光源等に電力を供給する電源装置７２と、ランプ光源等を空冷
するための冷却ファンユニット７３と、装置全体の動作を制御するための回路装置７４と
を備える。なお、回路装置７４は、プリント基板上に搭載された電子部品からなり、本体
ケース２０ａ内の適所に収められるものであるが、図面では便宜上本体ケース２０ａ外に
表示している。
【００４９】
このうち、主光学装置７１は、画像形成及び画像投射用の映像光学装置として機能し、
光源光を均一化した照明光を発生する光源装置８１と、光源装置８１を経た照明光を赤・
緑・青の３色に分離する分離照明系８２と、分離照明系８２から射出された各色の照明光
によって照明される光変調部８３と、光変調部８３を経た各色の変調光を合成するクロス
ダイクロイックプリズム８４と、クロスダイクロイックプリズム８４から射出された像光
を投射するための投射レンズ１１とを備える。
【００５０】
ここで、光源装置８１は、光源光束を形成するランプ部８１ａと、このランプ部８１ａ
から射出された光源光を均一で所定の偏光方向の照明光に変換する均一化光学系８１ｂと
を備える。分離照明系８２は、第１及び第２ダイクロイックミラー８２ａ，８２ｂを備え
、照明光を赤色光ＬＲ、緑色光ＬＧ、及び青色光ＬＢの３つの光束に分離する。光変調部
８３は、３色の照明光ＬＲ，ＬＧ，ＬＢがそれぞれ入射する３つの液晶ライトバルブ８３
ｒ，８３ｇ，８３ｂを備え、駆動信号に応じて各色光ＬＲ，ＬＧ，ＬＢを画素単位で強度
変調する。クロスダイクロイックプリズム８４は、交差するダイクロイック膜８４ａ，８
４ｂを備えており、各液晶ライトバルブ８３ｒ，８３ｇ，８３ｂからの変調光を合成した
像光ＩＬを射出する。投射レンズ１１は、クロスダイクロイックプリズム８４で合成され
た像光ＩＬを適当な拡大率で不図示のスクリーン上にカラー画像として投射する。
【００５１】
回路装置７４は、ビデオ信号等の外部画像信号が入力される画像処理部９１と、画像処
理部９１の出力に基づいて各液晶ライトバルブ８３ｒ，８３ｇ，８３ｂを駆動するライト
バルブ駆動部９２と、ユーザが操作する操作パネル１５用のパネル回路９３と、これらの
回路部分９１，９２，９３，１２等の動作を統括的に制御する主制御部９５とを備える。
なお、主制御部９５は、リモコン光を受光するリモコン受光部１２の検出出力に基づいて
、ユーザがリモコンで指示したコマンドを実行する。
【００５２】
以下、本実施形態のプロジェクタ１０の使用方法について説明する。プロジェクタ１０
を搬送する際には、キャリングケース３０を構成するケース本体３１の一方の空間領域Ａ
Ｒ１中にプロジェクタ本体２０を収納し、他方の空間領域ＡＲ２中に電源ケーブル５１、
コンピュータケーブル５２等の付属品を収納して、ケース本体３１全体をケース蓋部３３
で覆うととともにファスナの係合によってケース蓋部３３を固定する。
【００５３】
プロジェクタ１０を使用する際には、プロジェクタ１０を台ＴＡ上に載置して、ファス
ナの離脱によってケース蓋部３３を開放する。その後、プロジェクタ本体２０のコネクタ
部分１９から延びる電源ケーブル５１やコンピュータケーブル５２を、キャリングケース
３０の後壁４４に設けた開口４４ｂを介して外部に延ばし、電源やコンピュータに接続す
る。その後、ケース本体３１をケース蓋部３３で蓋をするとともにファスナの係合によっ
てケース蓋部３３を固定する。次に、投射口開閉部材４３ｃを閉止状態から開放状態にし
て保持部材４３ｅに固定することで、光透過口４３ａが開放され投射レンズ１１が外部に
露出する。次に、開口４１ａに指を挿入して、調節部材６２のレバー６３を操作すること
により、前脚部材６１の突出量を調整し、プロジェクタ本体２０の傾斜角を調整する。こ
の状態で、リモコン受光部１２の正面にリモコン光透過部４３ｈが配置され、前面排気口
１３や裏面吸気口１８に対向するように通風部４３ｇ，４１ｄが配置されている。その後
、主光学装置７１、回路装置７４等を適宜動作させて、投射レンズ１１の正面に配置され
たスクリーン上に必要な画像を投射する。
【００５４】
プロジェクタ１０による画像の投射を終了した後には、調節部材６２を元に戻して前脚
部材６１をケース本体３１内に収納し、投射口開閉部材４３ｃを開放状態から閉止状態に
して保持部材４３ｄに固定し、ケース蓋部３３を開けて電源ケーブル５１等を空間領域Ａ
Ｒ２に収納する。最後に、ケース本体３１をケース蓋部３３で覆うとともにファスナの係
合によってケース蓋部３３を固定する。
【００５５】
本実施形態のプロジェクタ１０によれば、キャリングケース３０に収納された状態のプ
ロジェクタ本体２０の投射レンズ１１から投射光をそのまま射出させることができる。つ
まり、プロジェクタ本体２０をキャリングケース３０から取り出すことなく動作させるこ
とができるので、プロジェクタ１０の使用開始の準備作業等が簡単で、準備作業に際して
プロジェクタ本体２０に損傷を与える可能性がなくプロジェクタ本体２０の信頼性を高め
ることができる。また、プロジェクタ本体２０をキャリングケース３０内に収納したまま
で使用できるので、プロジェクタ１０の動作音を低減でき環境にも優しい。さらに、画像
投射時においても、プロジェクタ本体２０をキャリングケース３０に一体的に収納できる
ので、キャリングケース３０の置き場所に困ることがない。さらに、従来のキャリングケ
ース３０では、プロジェクタ１０をキャリングケース３０から頻繁に出し入れする必要か
ら、キャリングケース３０の内部空間をプロジェクタ１０の外形よりも大きめに設計して
いたが、本実施形態のプロジェクタ１０の場合、プロジェクタ本体２０の頻繁な出し入れ
が不要となるので、キャリングケース３０の内部空間を付属品の分以上に大きくする必要
がない。よって、キャリングケース３０をプロジェクタ１０のサイズに近い程度までに小
型化することができる。
【００５６】
〔第２実施形態〕
以下、第２実施形態のプロジェクタについて説明する。なお、第２実施形態のプロジェ
クタは、第１実施形態のプロジェクタを一部変更したものであり、同一部分には同一の符
号を付して重複説明を省略する。また、特に説明しない部分については、第１実施形態と
同様であるものとする。
【００５７】
図８（ａ）及び８（ｂ）は、第２実施形態のプロジェクタ１１０の開放状態を説明する
斜視図である。この場合、ケース蓋部１３３が２つの部分１３３Ａ，１１３Ｂからなり、
独立して開閉できるようになっている。両部分１３３Ａ，１３３Ｂの間には、ファスナエ
レメント１５３，１５４が設けられており、両部分１３３Ａ，１３３Ｂを連結又は分離す
ることにより、各部分１３３Ａ，１３３Ｂ単位でケース本体３１を開放・閉塞できるよう
になっている。
【００５８】
このプロジェクタ１１０では、例えばケース蓋部１３３のうち一方の部分１３３Ｂのみ
を開放して、既にプロジェクタ本体２０に接続されている電源ケーブル５１等を引き出す
ことができ、この状態で、投射口開閉部材４３ｃを開放状態にして前脚部材６１の突出量
を調整し、主光学装置７１、回路装置７４等を適宜動作させることにより、プロジェクタ
１１０の正面に配置されたスクリーン上に所望の画像を投射することができる。
【００５９】
なお、この発明は、上記の実施形態に限られるものではなく、その要旨を逸脱しない範
囲において種々の態様で実施することが可能であり、例えば次のような変形も可能である
。
【００６０】
上記実施形態では、投射レンズ１１を露出させるための光透過口４３ａを単なる開口と
したが、光透過口４３ａを透明フィルムや透明プレートで塞ぐこともできる。この場合、
投射口開閉部材４３ｃを省略することもできる。なお、リモコン光透過部４３ｈも、透明
フィルムや透明プレートに置き換えることができる。
【００６１】
また、上記実施形態では、光透過口４３ａを開放状態又は閉止状態とする投射口開閉部
材４３ｃを設けているが、このような投射口開閉部材４３ｃを省略して、常時開放した光
透過口４３ａとすることもできる。同様に、通風部４１ｄ、リモコン光透過部４３ｈ、通
風部４３ｇ等も、単なる開口として常時開放状態とすることができる。
【００６２】
また、上記実施形態では、投射口開閉部材４３ｃが前壁４３に固定され分離できないが
、投射口開閉部材４３ｃを前壁４３の適所に対して着脱可能な別体部材とすることもでき
る。
【００６３】
また、通風部４１ｄ，４３ｇは、固定的なメッシュで形成されるものに限らない。例え
ば、通風部４１ｄ，４３ｇにおいて、投射レンズ１１の射出側に設ける光透過口４３ａや
投射口開閉部材４３ｃに類似する構造を設けることができ、この場合、メッシュ状の部分
を残すこともできる。
【００６４】
また、上記実施形態では、キャリングケース３０内に２つの空間領域ＡＲ１，ＡＲ２を
設けたが、電源ケーブル５１等を収納する空間領域ＡＲ２については省略することもでき
る。
【００６５】
また、上記実施形態では、プロジェクタ本体２０の主光学装置７１として、光源装置８
１、分離照明系８２、光変調部８３、クロスダイクロイックプリズム８４、投射レンズ１
１等で構成されるものを例示したが、プロジェクタ本体２０の光学系には、上記構成例に
限定されず、用途に応じて様々なものを採用することができる。例えば、光変調部８３を
液晶パネルではなくデジタル・マイクロミラー・デバイスで構成することもできる。
【図面の簡単な説明】
【００６６】
【図１】第１実施形態に係るプロジェクタの使用状態における外観を示す斜視図である。
【図２】図１に示すプロジェクタのうちキャリングケースの内部を示す斜視図である。
【図３】プロジェクタ本体を収納したプロジェクタの内部を開放した状態を示す斜視図である
【図４】（ａ）〜（ｃ）は、前脚部材及び後脚部材の調整や固定を説明する拡大図である。
【図５】プロジェクタ本体の斜視図である。
【図６】（ａ）〜（ｃ）は、プロジェクタ本体の上面図、前面図及び底面図である。
【図７】プロジェクタ本体の内部構造を概念的に説明するブロック図である。
【図８】第２実施形態のプロジェクタを説明する図である。
【符号の説明】
【００６７】
１０…プロジェクタ、  １１…投射レンズ、  １２…リモコン受光部、  １３…前面排
気口、  １５…操作パネル、  １６…レンズ駆動レバー、  １８…裏面吸気口、  １９…
コネクタ部分、  ２０…プロジェクタ本体、  ２０ａ…本体ケース、  ３０…キャリング
ケース、  ３１…ケース本体、  ３２…ヒンジ部分、  ３３…ケース蓋部、  ４１…底面
部、  ４１ａ…開口、  ４１ｂ，４１ｂ…ホルダ、  ４１ｄ，４３ｇ…通風部、  ４１ｇ
…調節口開閉部材、  ４１ｊ…係合部材、  ４２，４２，４３，４５…壁、  ４３ａ…光
透過口、  ４３ｃ…投射口開閉部材、  ４３ｄ，４３ｅ…保持部材、  ４３ｇ，４１ｄ…
通風部、  ４３ｈ…リモコン光透過部、  ４３ｊ…突起部、  ５１…電源ケーブル、  ５
２…コンピュータケーブル、  ５３，５４…ファスナエレメント、  ５４…ファスナエレ
メント、  ５７…持手、  ６１…前脚部材、  ６４…後脚部材、  ７４…回路装置、  ８
１…光源装置、  ８２…分離照明系、  ８３…光変調部、  ９５…主制御部、  ＡＲ１，
ＡＲ２…空間領域、  ＩＬ…像光
【図１】
2008076806.tif 000003
【図２】
2008076806.tif 000004
【図３】
2008076806.tif 000005
【図４】
2008076806.tif 000006
【図５】
2008076806.tif 000007
【図６】
2008076806.tif 000008
【図７】
2008076806.tif 000009
【図８】
2008076806.tif 000010